(57)【要約】【課題】  製造コストを安く抑えることにより、商品としての価格を安くする。【解決手段】  柔軟性を有する被包装物１３を折り畳んで略直方体状に形成し、この被包装物１３を折り畳んだ形状に固定する台紙２と、台紙２と被包装物１３とを一体として収納する包装袋１０とを備える。台紙２は、被包装物１３の上面１４に当接する上板３と、被包装物１３の対向する２つの側面１５、１５に当接する一対の側板４、４と、被包装物１３の底面１６に当接する一対の底板５、５と、被包装物１３の重合部１７に差し込まれる一対の差込み板６、６とを備える。底板５、５が下側に位置するように陳列棚等に載置することにより、差込み板６、６が被包装物１３から抜け出るのを防止でき、台紙２を被包装物１３の周囲を囲んだ状態に保持することができる。【選択図】        図４
2005162281.tif 000002
【特許請求の範囲】
【請求項１】
柔軟性を有する被包装物を折り畳んで所定の形状に形成し、該被包装物を折り畳んだ形状に固定する台紙であって、シート状をなすものを折り曲げて前記被包装物の周囲を囲み、かつ、先端部を前記被包装物の重合部に差し込むように構成したことを特徴とする台紙。
【請求項２】
柔軟性を有する被包装物を折り畳んで略直方体状に形成し、該被包装物を折り畳んだ形状に固定する台紙であって、前記被包装物の上面に当接する上板と、該上板に連続して設けられるとともに、前記被包装物の対向する２つの側面に当接する一対の側板と、該側板に連続して設けられるとともに、前記被包装物の底面に当接する底板と、該底板に連続して設けられるとともに、前記被包装物の重合部に差し込まれる差込み板とを備えてなることを特徴とする台紙。
【請求項３】
前記上板と前記各側板との境界部、前記各側板と前記各底板との境界部、及び前記各底板と前記各差込み板との境界部をそれぞれ略直角に折り曲げ、前記上板、前記両側板、及び前記両底板により前記被包装物の周囲を囲むとともに、前記両差込み板を前記被包装物の重合部に差し込むように構成した請求項２に記載の台紙。
【請求項４】
前記側板と前記底板との境界部を９０°以下に折り曲げたことを特徴とする請求項３に記載の台紙。
【請求項５】
請求項１から４の何れかに記載の台紙と、該台紙によって折り畳んだ形状に固定される被包装物とを一体として収納する包装袋とを備えてなることを特徴とする包装体。
【請求項６】
前記包装袋は、シート状をなすものを長手方向の両端部間を一体に接合して筒状に形成し、この筒状に形成したものの内部に台紙と被包装物とを一体として挿入し、この状態で両端開口部を一体に接合することにより、台紙と被包装物とを一体として収納するように構成されている請求項５に記載の包装体。
【請求項７】
前記包装袋は、シート状をなすものを二つ折にして重合させるとともに、幅方向の両端部間を一体に接合することにより一端が開口する袋状に形成し、この内部に台紙と被包装物とを一体にして挿入し、この状態で一端開口部を一体に接合することにより、台紙と被包装物とを一体として収納するように構成されている請求項５に記載の包装体。
【請求項８】
請求項１に記載の台紙を用いて、柔軟性を有する被包装物を包装する包装方法であって、前記台紙の上部に被包装物を載置する載置工程と、前記台紙の両端部を折り曲げ、折り曲げた部分の内側に前記被包装物の両端部を挿入する第１折り曲げ工程と、前記台紙を中央部から前記被包装物と一緒に折り曲げ、前記台紙の両端部を互いに重合させ、重合させた部分を前記被包装物の重合部内に差し込む第２折り曲げ工程とを備えてなることを特徴とする包装方法。
【請求項９】
請求項２又は３に記載の台紙を用いて、柔軟性を有する被包装物を包装する包装方法であって、前記台紙の上部に被包装物を載置する載置工程と、前記台紙の両端部を側板と底板との境界部及び底板と差込み板との境界部からそれぞれ折り曲げ、折り曲げた部分の内側に前記被包装物の両端部を挿入する第１折り曲げ工程と、前記台紙を中央部の上板と各側板との境界部から前記被包装物と一緒に折り曲げ、前記台紙の両端部の差込み板を互いに重合させ、重合させた差込み板を前記被包装物の重合部内に差し込む第２折り曲げ工程とを備えてなることを特徴とする包装方法。
【発明の詳細な説明】
【技術分野】
【０００１】
本発明は、台紙、包装体及び包装方法に関し、特に、柔軟性を有する被包装物である商品を折り畳んで所定の形状に形成し、この形状のまま被包装物を包装するのに有効な台紙、包装体及び包装方法に関するものである。
【背景技術】
【０００２】
一般に、店頭等で販売される各種の商品は、商品の種類に応じた包装体によって包装されて店頭等の陳列棚等に陳列されている。例えば、カセットテープ等の硬質の商品は、合成樹脂等からなる硬質のケース内に収納された状態でビニル等からなる軟質の包装袋内に収納されている。また、衣類カバー等の軟質の商品は、折り畳んだ状態で紙等からなる硬質のケース内に収納され、この状態でビニル等からなる軟質の包装袋内に収納されている（例えば、特許文献１参照。）。
【０００３】
また、簡易な包装体の一例として、被包装物の周囲を、ダンボールシートを折り曲げたもので囲むように構成したものが提案されている（例えば、特許文献２参照。）。
【特許文献１】実開平５−３５７４２号公報
【特許文献２】特開平６−３４５０７３号公報
【発明の開示】
【発明が解決しようとする課題】
【０００４】
ところで、上記のような構成の包装体のうち、特許文献１に記載されているものは、商品を収納する硬質のケースの製造に手間がかかるため、製造コストが高く付いてしまい、製品としての価格が高くなってしまう。また、特許文献２に記載されているものは、商品がコピー用紙などのような硬質のものである場合には特に問題はないが、商品が衣類カバー等のように軟質のものである場合には、商品を折り畳んだ状態に固定するのが困難になってしまう。さらに、スリーブ状の被包装物を囲むように構成したものは、被包装物の自重により底板が撓んでしまい、自立しにくい問題がある。
【０００５】
本発明は、上記のような従来のもののもつ問題を解決したものであって、製造が容易で製造コストを安く抑えることができ、これにより製品としての価格を安く抑えることができるとともに、商品が軟質のものであっても折り畳んだ形状に容易かつ確実に固定することができる台紙、包装体及び包装方法を提供することを目的とするものである。
【課題を解決するための手段】
【０００６】
上記のような課題を解決するために、本発明は、以下のような手段を採用している。
すなわち、請求項１に係る発明は、柔軟性を有する被包装物を折り畳んで所定の形状に形成し、該被包装物を折り畳んだ形状に固定する台紙であって、シート状をなすものを折り曲げて前記被包装物の周囲を囲み、かつ、先端部を前記被包装物の重合部に差し込むように構成したことを特徴とする。
本発明の台紙によれば、柔軟性を有する被包装物は、台紙によって周囲が囲まれることにより、折り畳んだ形状に固定される。この場合、台紙の先端部が被包装物の重合部に差し込まれるので、台紙が被包装物の周囲から脱落するようなことはない。
【０００７】
請求項２に係る発明は、柔軟性を有する被包装物を折り畳んで略直方体状に形成し、該被包装物を折り畳んだ形状に固定する台紙であって、前記被包装物の上面に当接する上板と、該上板に連続して設けられるとともに、前記被包装物の対向する２つの側面に当接する一対の側板と、該側板に連続して設けられるとともに、前記被包装物の底面に当接する底板と、該底板に連続して設けられるとともに、前記被包装物の重合部に差し込まれる差込み板とを備えてなることを特徴とする。
本発明の台紙によれば、柔軟性を有する被包装物は、上面に台紙の上板が当接し、対向する２つの側面に台紙の側板が当接し、底面に台紙の底板が当接することにより周囲が囲まれ、折り畳んだ形状（略直方体状）に固定される。この場合、台紙の差込み板が被包装物の重合部に差し込まれるので、台紙が被包装物の周囲から脱落するようなことはない。また、底板が自重によって撓みにくくなるため、自立性が向上する。
【０００８】
請求項３に係る発明は、請求項２に記載の台紙であって、前記上板と前記各側板との境界部、前記各側板と前記各底板との境界部、及び前記各底板と前記各差込み板との境界部をそれぞれ略直角に折り曲げ、前記上板、前記両側板、及び前記両底板により前記被包装物の周囲を囲むとともに、前記両差込み板を前記被包装物の重合部に差し込むように構成したことを特徴とする。
本発明による台紙によれば、台紙の上板と各側板との境界部、各側板と各底板との境界部、及び各底板と各差込み板との境界部はそれぞれ略直角に折り曲げられることになるので、略直方体状の被包装物の周面（上面、側面及び底面）に台紙の上板、側板及び底板を確実に沿わせることができ、緩みが生じることなく被包装物の周囲を囲むことができる。また、差込み板を被包装物の底面の重合部に下方から垂直方向上方に向かって差し込むことができるので、差込み板が重合部から抜け出るのを効果的に防止できる。
【０００９】
請求項４に係る発明は、請求項３に記載の台紙であって、前記側板と前記底板との境界部を９０°以下に折り曲げたことを特徴とする。
本発明による台紙によれば、請求項３に記載の台紙と同様の効果を奏する他、台紙の底部において、底板と側板の境界線で自立させることができるので、安定して自立させることができる。
【００１０】
請求項５に係る発明は、請求項１から４の何れかに記載の台紙と、該台紙によって折り畳んだ形状に固定される被包装物とを一体として収納する包装袋とを備えてなることを特徴とする。
本発明による包装体によれば、被包装物は、台紙と一体に包装袋内に収納されることにより、折り畳んだ形状に固定されることになる。
【００１１】
請求項６に係る発明は、請求項５に記載の包装体であって、前記包装袋は、シート状をなすものを長手方向の両端部間を一体に接合して筒状に形成し、この筒状に形成したものの内部に台紙と被包装物とを一体として挿入し、この状態で両端開口部を一体に接合することにより、台紙と被包装物とを一体として収納するように構成されていることを特徴とする。
本発明による包装体によれば、被包装物は、台紙と一体に包装袋内に挿入され、包装袋の両端開口部をシールすることにより包装袋内に収納され、折り畳んだ形状に固定されることになる。
【００１２】
請求項７に係る発明は、請求項５に記載の包装体であって、前記包装袋は、シート状をなすものを二つ折にして重合させるとともに、幅方向の両端部間を一体に接合することにより一端が開口する袋状に形成し、この内部に台紙と被包装物とを一体にして挿入し、この状態で一端開口部を一体に接合することにより、台紙と被包装物とを一体として収納するように構成されていることを特徴とする。
本発明による包装体によれば、被包装物は、台紙と一体に包装袋内に挿入され、包装袋の一端開口部をシールすることにより包装袋内に収納され、折り畳んだ形状に固定されることになる。
【００１３】
請求項８に係る発明は、請求項１に記載の台紙を用いて、柔軟性を有する被包装物を包装する包装方法であって、前記台紙の上部に被包装物を載置する載置工程と、前記台紙の両端部を折り曲げ、折り曲げた部分の内側に前記被包装物の両端部を挿入する第１折り曲げ工程と、前記台紙を中央部から前記被包装物と一緒に折り曲げ、前記台紙の両端部を互いに重合させ、重合させた部分を前記被包装物の重合部内に差し込む第２折り曲げ工程とを備えてなることを特徴とする。
本発明による包装方法によれば、被包装物は、第１折り曲げ工程及び第２折り曲げ工程を経ることにより周囲が台紙によって囲まれ、折り曲げられた形状に固定されることになる。この場合、台紙の両端部が被包装物の重合部に差し込まれていることにより、台紙が被包装物から脱落するのが防止される。
【００１４】
請求項９に係る発明は、請求項２又は３に記載の台紙を用いて、柔軟性を有する被包装物を包装する包装方法であって、前記台紙の上部に被包装物を載置する載置工程と、前記台紙の両端部を側板と底板との境界部及び底板と差込み板との境界部からそれぞれ折り曲げ、折り曲げた部分の内側に前記被包装物の両端部を挿入する第１折り曲げ工程と、前記台紙を中央部の上板と各側板との境界部から前記被包装物と一緒に折り曲げ、前記台紙の両端部の差込み板を互いに重合させ、重合させた差込み板を前記被包装物の重合部内に差し込む第２折り曲げ工程とを備えてなることを特徴とする。
本発明による包装方法によれば、被包装物は、第１折り曲げ工程及び第２折り曲げ工程を経ることにより周囲が台紙によって囲まれ、折り曲げられた形状に固定されることになる。この場合、台紙の両端部の差込み板が被包装物の重合部に差し込まれていることにより、台紙が被包装物から脱落するのが防止される。
【発明の効果】
【００１５】
本発明の請求項１に係る台紙によれば、シート状のものを折り曲げて被包装物の周囲を囲むことにより、被包装物を折り畳んだ形状に固定することができることになる。この場合、台紙の先端部が被包装物の重合部に差し込まれているので、台紙が被包装物の周囲から脱落するようなことはなく、台紙によって被包装物を折り畳んだ形状に確実に固定することができる。また、台紙は、シート状のものを折り曲げただけの簡単な構造のものであるので、製造が容易であって製造コストを安く抑えることができ、製品としての価格を安く抑えることができる。さらに、店頭の陳列棚等に陳列する場合に、被包装物の重合部を陳列棚等に接触させるように、商品である被包装物を陳列棚等の上部に載置することにより、台紙の先端部が被包装物の重合部から抜け出るのを確実に防止でき、被包装物を折り畳んだ形状に維持することができる。
【００１６】
また、本発明の請求項２に係る台紙によれば、被包装物の上面に上板が当接し、対向する２つの側面に側板が当接し、底面に底板が当接することにより、被包装物の周囲を囲んで被包装物を折り畳んだ形状（略直方体状）に固定することができる。この場合、台紙の差込み板が被包装物の重合部に差し込まれているので、台紙が被包装物の周囲から脱落するようなことはなく、台紙によって被包装物を折り畳んだ形状（略直方体状）に確実に固定することができる。また、台紙は、上板と側板と底板と差込み板とからなる簡単な構造のものであるので、製造が容易であって製造コストを安く抑えることができ、製品としての価格を安く抑えることができる。さらに、店頭の陳列棚等に陳列する場合に、被包装物の重合部を陳列棚等に接触させるように、商品である被包装物を陳列棚等の上部に載置することにより、台紙の差込み板が被包装物の重合部から抜け出るのを確実に防止でき、被包装物を折り畳んだ形状（略直方体状）に維持することができる。
【００１７】
さらに、本発明の請求項３及び４に係る台紙によれば、台紙の上板と各側板との境界部、各側板と各底板との境界部、及び各底板と各差込み板との境界部がそれぞれ略直角（請求項４においては、側板と底板との境界部が９０°以下）に折り曲げられているので、略直方体状の被包装物の周面（上面、側面及び底面）に台紙の上板、側板及び底板を確実に沿わせることができる。従って、台紙によって緩みが生じることなく被包装物の周囲を囲むことができるので、被包装物を折り畳んだ形状に確実に固定することができる。また、店頭の陳列棚等に陳列する場合に、被包装物の重合部を陳列棚等に接触させるように、商品である被包装物を陳列棚等の上部に載置することにより、台紙の差込み板が被包装物の重合部に垂直に差し込まれることになるので、差込み板が重合部から抜け出るのを確実に防止でき、被包装物を折り畳んだ形状（略直方体状）に維持することができる。さらに、側板と上板との境界部、側板と底板との境界部、及び底板と差込み板との境界部を略直角に折り曲げるだけで足りるので、製造が容易であって製造コストを安く抑えることができ、製品としての価格を安く抑えることができる。
【００１８】
さらに、本発明の請求項５〜７に係る包装体によれば、被包装物は、周囲を台紙によって囲まれて折り畳んだ形状に固定され、この状態で台紙と一体に包装袋内に収納されることになるので、台紙が被包装物の周囲から脱落するのを更に効果的に防止することができ、店頭の陳列棚等に陳列する場合に、隣接姿勢が崩れることなく、見栄え良く陳列することができ、消費者の購買意欲を喚起させることができる。さらに、台紙と包装袋とからなる簡単な構造のものであるので、製造が容易であって製造コストを安く抑えることができ、商品としての価格を安く抑えることができる。
【００１９】
さらに、本発明の請求項８、９に係る包装方法によれば、被包装物の周囲を台紙によって囲むことができるとともに、台紙の両端部（差込み板）が被包装物の重合部に差し込まれることにより、台紙が被包装物から脱落するのを防止できることになる。従って、被包装物を折り畳んだ形状に確実に固定することができるので、店頭の陳列棚等に陳列する場合に、隣接姿勢が崩れるようなことはなく、見栄え良く陳列することができ、消費者の購買意欲を喚起させることができる。さらに、被包装物と台紙とを一緒に折り曲げることにより、被包装物の周囲を囲むことができるので、被包装物の包装が容易となり、生産効率を高めることができる。
【発明を実施するための最良の形態】
【００２０】
以下、図面に示す本発明の実施の形態について説明する。
図１〜図４には、本発明による台紙、包装体及び包装方法の一実施の形態が示されていて、図１は本発明による台紙の折り曲げ前の状態を示す斜視図、図２は台紙を第１段階に折り曲げた状態を示す斜視図、図３は台紙を第２段階に折り曲げた状態を示す斜視図、図４は本発明による包装体の全体を示す斜視図である。
【００２１】
すなわち、本発明の台紙２は、柔軟性を有する被包装物１３、例えば衣類カバー、タオル、シーツ等のシート状の商品を折り畳んで略直方体状に形成し、この被包装物１３を折り畳んだ形状（略直方体状）に固定するものであって、厚紙、合成樹脂等を素材としてシート状（長方形板状）に形成されている。
【００２２】
台紙２は、図１に示すように、長手方向の中央部に設けられる長方形状の上板３と、上板３の外側にそれぞれ設けられる長方形状の側板４と、各側板４の外側にそれぞれ設けられる長方形状の底板５と、各底板５の外側にそれぞれ設けられる長方形状の差込み板６とを備えている。
【００２３】
台紙２の上板３は、被包装物１３の上面１４に合致する長方形状に形成され、各側板４は被包装物１３の各側面１５に合致する長方形状に形成され、一方の底板５は被包装物１３の底面１６の一方の半部に合致する長方形状に形成され、他方の底板５は被包装物１３の底面１６の他方の半部に合致する長方形状に形成され、各差込み板６は同一の大きさの長方形状に形成されている。
【００２４】
台紙２の上板３と各側板４との境界部、各側板４と各底板５との境界部、及び各底板５と各差込み板６との境界部には、それぞれ折り曲げ線７が設けられ、これらの折り曲げ線７を境にして、上板３と各側板４との間、各側板４と各底板５との間、各底板５と各差込み板６との間が略直角に折り曲げられるように構成されている。
【００２５】
本発明の包装体１は、図４に示すように、前述した台紙２と、台紙２と被包装物１３とを一体として収納するビニル等からなる袋状の包装袋１０とから構成されている。
【００２６】
包装袋１０としては、特に限定されるものではなく、例えば、図４に示すように、シート状をなすものの長手方向の両端部を熱融着等によってシールして筒状に形成し、この筒状に形成したものの内部に台紙２と被包装物１３とを一体として挿入し、両端開口部を熱融着等によってシールするように構成したものが挙げられる。この場合、一端開口部のシール部は、中央部に吊下げ孔１２を有する幅広の吊下げ片１１に形成され、この吊下げ片１１の吊下げ孔１２を介してフック等に吊下げることができるものである。
【００２７】
また、包装袋１０の他の例として、図５に示すように、シート状をなすものを二つ折りにして重合し、幅方向の両端部間を熱融着等によりシールすることにより一端が開口する袋状に形成し、この内部に台紙２と被包装物１３とを一体にして挿入し、この状態で一端開口部を熱融着等によりシールするように構成したものが挙げられる。
【００２８】
そして、上記のように構成した台紙２及び包装袋１０からなる包装体１を用いて被包装物１３を包装するには、載置工程、第１折り曲げ工程、第２折り曲げ工程、挿入工程を経ることにより、被包装物１３の全体が包装される。
【００２９】
すなわち、まず、載置工程において、図１に示す長方形板状の台紙２の上部に被包装物１３を二つ折等に折り畳んだ状態で載置し、第１折り曲げ工程において、図２に示すように、台紙２の各側板４と各底板５との間、及び各底板５と各差込み板６との間をそれぞれ折り曲げ線７を境に略直角に折り曲げ、台紙２の両端部にコ形状の係合溝８、９をそれぞれ形成し、一方の係合溝８内に被包装物１３の一端部を挿入し、他方の係合溝９内に被包装物１３の他端部を挿入する。
【００３０】
そして、第２折り曲げ工程において、図３に示すように、台紙２の上板３と各側板４との間を折り曲げ線７を境にそれぞれ略直角に折り曲げ、両差込み板６、６の外面同士を互いに密着させ、全体を略角筒状に形成する。この場合、被包装物１３は台紙２の折り曲げに追従して更に二つに折り曲げられ、図２に示す右半部の上部に左半部が重合され、図３中の右方向から重合部１７内に台紙２の両差込み板６、６が差し込まれる。
【００３１】
このようにして、被包装物１３が折り畳まれて略直方体状に形成されるとともに、被包装物１３の周囲が台紙２の上板３、両側板４、４、及び両底板５、５によって囲まれ、被包装物１３が折り畳まれた形状に固定される。この場合、台紙２は、両差込み板６、６が被包装物１３の重合部１７に差し込まれているので、被包装物１３から脱落するのが効果的に防止される。
【００３２】
そして、挿入工程において、図４に示すように、被包装物１３と台紙２とを一体としてビニル等からなる包装袋１０内に挿入し、開口部を熱融着等によってシールし、包装袋１０の内部に台紙２と被包装物１３とを一体として収納する。このようにして、被包装物１３が台紙２と包装袋１０とからなる包装体１によって包装されることになる。この場合、被包装物１３は、周囲が台紙２によって囲まれた状態で包装袋１０内に収納されているので、台紙２と被包装物１３との間に相対的なずれが生じるようなことはなく、包装形状を一定とすることができる。
【００３３】
そして、上記のように台紙２と包装袋１０とからなる包装体１で包装した商品としての被包装物１３を、台紙２の両底板５、５が下側に位置するように店頭の陳列棚等の上部に載置することにより、商品としての被包装物１３を陳列棚等の上部に陳列することができるものである。
【００３４】
この場合、台紙２は、シート状のものを折り曲げただけの簡単な構造のものであり、また、包装袋１０はビニル等からなる簡単な構造のものであるので、両者の製造が容易であって、製造コストを安く抑えることができ、製品としての価格を安く抑えることができる。また、店頭の陳列棚等に陳列する場合に、被包装物１３の重合部１７を下側にして陳列棚等の上部に載置することにより、台紙２の両差込み板６、６が被包装物１３の重合部１７から抜け出るのを確実に防止できるので、被包装物１３を折り畳んだ形状に確実に固定することができる。さらに、被包装物１３は、周囲が台紙２によって囲まれた状態で包装袋１０内に収納されているので、台紙２と被包装物１３との間に相対的なずれが生じるようなことはなく、包装形状を一定とすることができ、陳列棚等に整然と並べることができ、見栄えを良くすることができる。
【図面の簡単な説明】
【００３５】
【図１】本発明による台紙の一実施の形態を示した斜視図であって、折り曲げ前の状態を示した説明図である。
【図２】図１に示す台紙を第１段階に折り曲げた状態を示した斜視図である。
【図３】図１に示す台紙を第２段階に折り曲げた状態を示した斜視図である。
【図４】本発明による包装体の一実施の形態を示した斜視図である。
【図５】包装体の包装袋の他の例を示した斜視図である。
【符号の説明】
【００３６】
１  包装体
２  台紙
３  上板
４  側板
５  底板
６  差込み板
７  折り曲げ線
８、９  係合溝
１０  包装袋
１１  吊下げ片
１２  吊下げ孔
１３  被包装物
１４  上面
１５  側面
１６  底面
１７  重合部
【図１】
2005162281.tif 000003
【図２】
2005162281.tif 000004
【図３】
2005162281.tif 000005
【図４】
2005162281.tif 000006
【図５】
2005162281.tif 000007